(57)【要約】捕虫シート１０を保持するホルダー２０を有する捕虫具であって、ホルダーは、捕虫シート１０の他面側に位置する押さえプレート２１と、これを把持するグリップ２３と、捕虫シート１０を挟持するクランプ２２とを有し、そのクランプ２２のハンドル２２ａに引掛け用のツメ３０を備える。これによって、片手でグリップ２３を持った状態で、そのハンドル２２ａのツメ３０をゴミ箱Ｄの縁に引っ掛けて押しつけるだけで捕獲した害虫を捕虫シート１０と共に簡単にゴミ箱Ｄ内に処分することができる。
2019142908.tif 000002
【特許請求の範囲】
【請求項１】
シート本体の片面に粘着層を有する軟質の捕虫シートと、当該捕虫シートを保持するホルダーとを備えた捕虫具であって、
前記ホルダーは、前記捕虫シートの他面側に位置する押さえプレートと、前記捕虫シートを前記押さえプレートで挟持するクランプと、前記押さえプレートから延びるグリップとを有し、
前記クランプは、前記捕虫シートを前記押さえプレート側に押しつけて挟持するクランプ本体と、当該クランプ本体を開閉動作させるバー状のハンドルとを有し、当該ハンドルに引掛け用のツメを備えたことを特徴とする捕虫具。
【請求項２】
請求項１に記載の捕虫具において、
前記グリップが伸縮性の多段チューブからなることを特徴とする捕虫具。
【発明の詳細な説明】
【技術分野】
【０００１】
本発明は、ゴキブリやムカデのような家屋内に侵入してきた害虫を捕獲するための捕虫具に関するものである。
【背景技術】
【０００２】
従来一般家屋に棲み着いている害虫としては、チャバネゴキブリやクロゴキブリなどが代表的であるが、これに加え最近では地球温暖化などに伴いムカデやヤスデ、蛾、カメムシ、ヤモリなどの多様な昆虫が侵入するケースが増えてきている。さらに将来的にはスズメバチやセアカゴケグモ、ヒアリのような猛毒を持つ害虫の侵入による被害も懸念される。【０００３】
これら害虫を発見した場合には、通常スプレー式の殺虫剤を噴霧したり、ハエ叩きで潰すなどして駆除している。しかし、スプレー式の殺虫剤で駆除する方法では即効性が乏しく、すぐにタンスの陰や隙間などに逃げ込まれたりしてしまい、達成感や効果が得られにくい。一方、ハエ叩きで潰す方法では、叩く力が弱いと逃げられてしまい、反対に強く叩きすぎると虫の体が潰れて体液などが周囲に飛び散ってしまい、極めて不快な上にその箇所の清掃や死骸の後始末が面倒である。【０００４】
そのため、本発明者は例えば以下の特許文献１に示すような新しい捕虫具を提案している。この捕虫具は、例えば長さが３０ｃｍ程度の柄の先端にプレートと押え板を取りつけると共に、そのプレートと押え板の間に粘着面を備えた軟質の捕虫板を取りつけたものである。そして、この捕虫具を用いてゴキブリなどの害虫を捕るときには、片手で柄を握り、その捕虫板の粘着面の剥離紙を剥がし、ハエ叩きの要領でその捕虫板の粘着面をゴキブリの上にから被せることによってそのゴキブリを捕虫板に粘着して捕捉する。【０００５】
そして、ゴキブリを捕らえた後は、この捕虫板の先端側の粘着剤が塗布されていない面をそのまま床面に押しつけるなどしてを柏餅を作る要領で二つ折りに重ね合わせてその中にゴキブリを包み込むようにし、その後、そのまま捕虫板と共にゴミ箱に捨てることで捕らえたゴキブリをスマートに始末できるしたものである。
【先行技術文献】
【特許文献】
【０００６】
【特許文献１】登録実用新案第３００６１１５号公報
【発明の概要】
【発明が解決しようとする課題】
【０００７】
ところで、前述したような従来の捕虫具では、害虫を捕獲した後はそれを捕虫板ごとゴミ箱などに捨てて処分しているが、この捕虫板をホルダーから取り外す際には、捕虫板を保持する下部ホルダーのバーを握ってその押え板を上部ホルダーのプレートから離すような動作が必要となる。すなわち、この動作を行うためには片手で上部ホルダーの柄を握った状態で一方の手で下部ホルダーのバーを握るといった両手による作業となるため、煩わしい上に、その瞬間は捕獲した害虫に近づくため不快感を招く。【０００８】
そこで、本発明はこれらの課題を解決するために案出されたものであり、その主な目的は、捕獲した害虫の処分を片手で簡単に行うことができる新規な捕虫具を提供することにある。
【課題を解決するための手段】
【０００９】
前記課題を解決するために第１の発明は、シート本体の片面に粘着層を有する軟質の捕虫シートと、当該捕虫シートを保持するホルダーとを備えた捕虫具であって、前記ホルダーは、前記捕虫シートの他面側に位置する押さえプレートと、前記捕虫シートを前記押さえプレートで挟持するクランプと、前記押さえプレートから延びるグリップとを有し、前記クランプは、前記捕虫シートを前記押さえプレート側に押しつけて挟持するクランプ本体と、当該クランプ本体を開閉動作させるバー状のハンドルとを有し、当該ハンドルに引掛け用のツメを備えたことを特徴とする捕虫具である。【００１０】
このような構成によれば、例えば片手でグリップを持った状態で、害虫を捕獲した捕虫シートをゴミ箱内に臨ませてから、そのクランプのハンドルのツメをそのゴミ箱の縁に引っ掛けて押しつけるようにすると、クランプ本体が開くように動作して挟持されている捕虫シートが離れ、そのままゴミ箱内に落下する。従って、従来のように両手を使う必要がなく、片手だけで捕獲した害虫の処分を簡単に行うことができる。また、その都度捕獲した害虫に近づく必要がないため、不快感を軽減できる。【００１１】
第２の発明は、第１の発明において、前記グリップが伸縮性の多段チューブからなることを特徴とする捕虫具である。このような構成によれば、グリップを適宜伸ばせば、天井や物陰のように手が届きにくい位置にも簡単にその捕虫シートを臨ませることができるため、そのような場所に居る害虫でも容易に捕獲することができる。また、このようにグリップが伸ばして手元と、害虫を捕獲した捕虫シートとの距離が開いた場合でもいちいち持ち替えたりすることなく前記のようにそのまま片手で捕獲した害虫を捕虫シート共に処分することができる。
【発明の効果】
【００１２】
本発明によれば、片手でグリップを持った状態で、害虫を捕獲した捕虫シートをゴミ箱内に臨ませてから、そのクランプのハンドルのツメをそのゴミ箱の縁に引っ掛けて押しつけるようにすると、クランプ本体が開くように動作して挟持されている捕虫シートが離れ、そのままゴミ箱内に落下する。従って、従来のように両手を使う必要がなく、片手だけで捕獲した害虫の処分を簡単に行うことができると共に、その都度捕獲した害虫に近づく必要がないため、不快感を軽減できる。
【図面の簡単な説明】
【００１３】
【図１】本発明に係る捕虫具１００の実施の一形態を示す斜視図である。
【図２】本発明に係る捕虫具１００の実施の一形態を示す側面図である。
【図３】本発明に係る捕虫具１００の実施の一形態を示す底面図である。
【図４】捕虫シート１０およびこれを取り付ける押さえプレート２１を示す底面図である。
【図５】捕虫シート１０の側面図およびその部分拡大図である。
【図６】捕虫シート１０の作用を示す説明図である。
【図７】クランプ２２を示す斜視図である。
【図８】（Ａ）はクランプ２２を示す平面図、（Ｂ）はその側面図である。
【図９】（Ａ）はクランプ２２を開いた状態を示す側面図、（Ｂ）はクランプ２２を閉じた状態を示す側面図である。
【図１０】ホルダー２０のグリップ２３構造およびこれを伸ばした状態を示す側面図である。
【図１１】本発明に係る捕虫具１００の使用例を示す説明図である。
【図１２】本発明に係る捕虫具１００の作用を示す説明図である。
【図１３】本発明に係る捕虫具１００の使用例を示す説明図である。
【発明を実施するための形態】
【００１４】
以下、本発明の実施の形態を添付図面を参照しながら説明する。図１乃至図３は本発明に係る捕虫具１００の実施の一形態を示したものであり、図１はその斜視図、図２は側面図、図３は底面図である。図示するようにこの捕虫具１００は、捕虫シート１０と、この捕虫シート１０を保持するホルダー２０とからなっている。
【００１５】
捕虫シート１０は、図示するようにホルダー２０の先端に着脱自在に取り付けられて用いられるものであり、図４および図５に示すような構成となっている。すなわち、この捕虫シート１０は、例えば長さ１０〜２０ｃｍ×幅５〜１５ｃｍ×厚さ２〜５ｍｍ程度の略矩形状をしたシート本体１１の片面に、粘着層（粘着面）１２を備えた構成となっている。このシート本体１１は、例えばウレタンや発泡ポリエチレンなどの軟質の樹脂あるいは紙などの柔軟な材料から構成されており、後述する所定の部位から二つ折りに折り畳み可能となっている。
【００１６】
粘着層（粘着面）１２は、ゴム系やアクリル系などの粘着剤からなるものであり、図４に示すように、シート本体１１端部の取付部１１ａを除く全面に形成されている。この取付部１１ａには、その幅方向に一対の取付穴１３，１３が形成されており、この取付穴１３，１３を用いて後述するホルダー２０の押さえプレート２１に取り付けられるようになっている。また、図４および図５に示すようにこのシート本体１１の粘着層１２が形成された面には、エンボス加工が施されており、例えば高さ０．５〜１．０ｍｍ程度の微小な突起１１ｂが５〜１０ｍｍ間隔で複数格子点状に形成されている。
【００１７】
さらに、このシート本体１１の粘着層１２の反対面には、切れ込み（スリット）Ｓがその幅方向に形成されており、図６に示すようにシート本体１１をこの切れ込みＳから粘着層１２側を内側にして二つ折りに折り畳めるようになっている。なお、図４に示すようにこのシート本体１１の粘着層１２上は図示しない剥離紙１４で覆われており、その剥離紙１４を剥がすことで粘着層１２が露出するようになっている。
【００１８】
次に、ホルダー２０は、図１〜図３に示すように捕虫シート１０の上面（非接着面）側に位置する押さえプレート２１と、この押さえプレート２１に捕虫シート１０を保持するクランプ２２と、このクランプ２２から延びるグリップ２３とから構成されている。先ず、押さえプレート２１は、図１乃至図４に示すように杓文字の如く先端が楕円形に広がったへら状になった薄板体からなっており、その内側（下面側）に捕虫シート１０を取り付けるようになっている。
【００１９】
すなわち、図４に示すようにこの押さえプレート２１の下面端部の狭窄部（グリップ２３側）には、シート本体１１の取付部１１ａに形成された一対の取付穴１３，１３と対応する一対の突起２１ａ、２１ａと、その取付部１１ａの外縁部に沿って延びるガイド２１ｂ、２１ｂが形成されており、この突起２１ａ、２１ａをそれぞれシート本体１１の取付穴１３，１３に嵌め込むことで図３に示すように押さえプレート２１の下面に捕虫シート１０を取り付けることができるようになっている。
【００２０】
この押さえプレート２１は、その全体あるいは少なくともその先端の平板部分、例えば図４のラインＬより先の部分は、ゴム（エラストマー）、またはソフトラバーなどと称されるポリ塩化ビニル（ＰＶＣ）、またはポリエチレン、ポリプロピレンなどの柔軟な樹脂材料から形成されており、適度な力が加わることで変形・復元可能な可撓性を有している。
【００２１】
クランプ２２は、図４および図７、図８に示すように、扇形状をしたクランプ本体２２ａと、このクランプ本体２２ａから延びるバー状のハンドル２２ｂと、その接続部に位置する軸孔２２ｃ、２２ｃと、コイルスプリング２２ｄと、連結用の分割ピン２２ｅ、２２ｅとから構成されている。
【００２２】
そして、図７に示すように、このコイルスプリング２２ｄの一端をハンドル２２ｂのばね溝２２ｇ内に嵌め込むように位置させた状態でその軸孔２２ｃ、２２ｃを、押さえプレート２１側の図示しない軸孔と同軸になるように位置させた後、図８に示すようにその軸孔２２ｃ、２２ｃに対し、その両側から分割ピン２２ｅ、２２ｅを差し込んで一体化させることで、この分割ピン２２ｅ、２２ｅを軸としてクランプ２２が上下に揺動自在に取り付けられるようになっている。
【００２３】
このようにして押さえプレート２１側に取り付けられたクランプ２２は、その軸部に設けられたコイルスプリング２２ｄによってその扇形状をしたクランプ本体２２ａ側が押さえプレート２１の下面側に密着するように付勢されている。従って、指によって図９に示すようにハンドル２２ｂをグリップ２３側に動かせば、その全体が揺動してクランプ本体２２ａが押さえプレート２１から離間し、その状態からグリップ２３を離せばコイルスプリング２２ｄの付勢力によって自動的に元も戻るようになっている（開閉動作）。
【００２４】
また、図７および図８に示すように、このクランプ２２のハンドル２２ｂの先端側には、その下方に突出するように断面略三角形のツメ３０が形成されている。さらに、図７および図８に示すように、このクランプ２２のクランプ本体２２ａには、捕虫シート１０の取付穴１３，１３と相似形の嵌合穴２２ｆ、２２ｆが形成されており、クランプ本体２２ａ側が押さえプレート２１の下面側に密着したときに、これが押さえプレート２１側の突起２１ａ、２１ａと嵌合し、干渉することなく両者が密着するようになっている。
【００２５】
グリップ２３は、図１０に示すように伸縮自在な多段のチューブ（管体）から構成されている。すなわち、このグリップ２３は図示するように手で直接把持する内部中空のグリップ本体２３ａと、このグリップ本体２３ａ内に挿脱される第１インナーチューブ２３ｂと、この第１インナーチューブ２３ｂ内に挿脱される第２インナーチューブ２３ｃと、この第２インナーチューブ２３ｃ内に挿脱される第３インナーチューブ２３ｄとから構成されている。
【００２６】
そして、この第３インナーチューブ２３ｄの先端側が、押さえプレート２１の上端面から延びるグリップヘッド２３ｅを介して押さえプレート２１に一体的に連結されている。なお、これらグリップ本体２３ａ、第１インナーチューブ２３ｂ、第２インナーチューブ２３ｃ、第３インナーチューブ２３ｄの長さとしては、例えばそれぞれ約２０ｃｍ程度であり、それらを最大に伸張した状態での長さは６０〜８０ｃｍ、最小に伸縮した状態での長さはそのグリップ本体２３ａの長さ、すなわち約２０ｃｍ程度となっている。従って、このグリップ本体２３ａ内に収めされた第１インナーチューブ２３ｂ、第２インナーチューブ２３ｃ、第３インナーチューブ２３ｄの繰出量を調整することでこのグリップ２３全体の長さを約２０〜８０ｃｍの範囲で自由に調整できるようになっている。
【００２７】
次に、このような構成をした本発明に係る捕虫具１００の作用を説明する。居住者がその室内の床面や壁面などに害虫を発見した場合は、先ず図９に示すようにクランプ２２のハンドル２２ｂを持ち上げて押さえプレート２１の下面に、その粘着面１２が下側に向くように捕虫シート１０を取り付けた後、クランプ２２のハンドル２２ｂを離してその捕虫シート１０をクランプ２２と押さえプレート２１で挟持する。また、これと共に図１０に示すようにそのグリップ２３の第１インナーチューブ２３ｂなどを引き出して適用な長さに調整する。
【００２８】
そして、図１１（Ａ）、（Ｂ）に示すようにそのグリップ２３のグリップ本体２３ａ部分を手で把持してハエ叩きの如くその害虫Ｐの上から捕虫シート１０を被せるようにその押さえプレート２１をその床面または壁面Ｗ上に一気に叩きつける。これによって、その床面または壁面Ｗ上の害虫Ｐが捕虫シート１０の粘着面１２に粘着してその動きが規制されて捕捉される。なお、図では便宜上グリップ２３を最小に縮めた状態で示している。
【００２９】
この捕捉の瞬間においては、図１２に示すように可撓性の押さえプレート２１が捕虫シート１０と共に撓んで害虫Ｐの外表面に密着するように変形するため、捕虫シート１０の粘着面１２と害虫Ｐとの接触面積が広くなり、確実に害虫Ｐをその粘着面１２に粘着して捕捉することができる。
【００３０】
また、このグリップ２３は伸縮性の多段チューブからなるため、前述したようにこのグリップ２３を適宜伸ばせば、天井や物陰のように手が届きにくい位置にも簡単にその捕虫シート１０を臨ませることができるため、そのような場所に居る害虫Ｐであっても容易に捕捉することができる。
【００３１】
そして、このようにして害虫Ｐを捕虫シート１０で捕捉したならば、図１１（Ｃ）に示すようにその捕虫シート１０を床面や壁面Ｗから離すと、その害虫Ｐがその捕虫シート１０の粘着面１２に粘着して捕獲されることになる。このとき、その害虫Ｐ周囲の捕虫シート１０が床面や壁面Ｗに触れて粘着してしまうことになるが、前述したようにこの捕虫シート１０の粘着面１２と床面や壁面Ｗと接触が突起１１ｂ部分のみの点接触となるため、その捕虫シート１０がそのまま床面などに強く貼り付いてしまうようなことはなく、簡単に剥がし取ることができる。この点は、仮にその捕虫シート１０で害虫Ｐを捕捉し損なった場合でも同様であり、捕虫シート１０の粘着面１２が床面や壁面Ｗなどに強く粘着して剥がれなくなってしまうようなことはない。
【００３２】
一方、害虫Ｐに対しては、その殆どがその体表面が曲面あるいは複雑な凹凸状態となっていることから、捕虫シート１０を叩きつけるように被せるだけでその突起１１ｂの部分だけでなく、その間の平面部分も含めて害虫Ｐの表面に広く接触してこれを強く粘着することになるため、一旦粘着した後は逃げられたりすることなく、確実に捕獲することができる。なお、この捕虫シート１０の粘着面１２は、例えば格子状、網目状あるいは波状などのように平面に対して部分的に突出しているような形状であれば、捕虫シート１０の粘着面１２と床面や壁面Ｗなどと触れる部分が点または線接触となるため、エンボス状に限られるものではない。
【００３３】
次に、このようにして害虫Ｐを捕虫シート１０の接着面に捕捉したならば、そのままグリップ２３を操作して図６に示すように捕虫シート１０の先端をその近傍の床面や壁面Ｗなどに押しつける。すると、その捕虫シート１０のシート本体１１の先端側がその切れ込みＳ部分で粘着面１２側に折り曲がるため、そのまま押し込んで二つ折りに折り畳む。これによって、同図（Ｃ）、（Ｄ）に示すようにその粘着面１２に捕捉された害虫Ｐの全体がその折り曲げられたシート本体１１の先端部分で包み込むように覆われて外から見えないようにその内部に完全に捕捉される。
【００３４】
その後、図１３（Ａ）に示すようにその捕虫シート１０をそのままゴミ箱Ｄの上などに移動してから、そのクランプ２２のハンドル２２ｂ部分をゴミ箱Ｄの開口縁ｄに押し当てる。すると、図１３（Ｂ）に示すようにそのハンドル２２ｂの先端に設けられたツメ３０がゴミ箱Ｄの開口縁ｄに引っ掛かり、そのクランプ２２が分割ピン２２ｅ部分を軸として回動し、その捕虫シート１０が害虫Ｐと共に押さえプレート２１から離脱（落下）してそのままゴミ箱Ｄ内に収容されることになる。
【００３５】
これによって、捕獲した害虫Ｐに触れたり直接目にしたりすることなく、その害虫シート１０を衛生的かつスマートに始末することができる。また、その動作に際しては従来のように両手を使う必要がなく、片手だけで捕獲した害虫の処分を簡単に行うことができると共に、その都度捕獲した害虫に近づく必要がないため、不快感を回避または軽減できる。
【００３６】
また、グリップ２３を適宜伸ばせば、天井や物陰のように手が届きにくい位置にも簡単にその捕虫シート１０を臨ませることができるため、そのような場所に居る害虫でも容易に捕獲することができる。そして、このようにグリップ２３を伸ばして手元と、害虫Ｐを捕獲した捕虫シート１０との距離が開いた場合でもいちいち持ち手を持ち替えたりすることなくそのまま片手で害虫を処分することができる。
【符号の説明】
【００３７】
１００…捕虫具
１０…捕虫シート
１１…シート本体
１２…粘着層（粘着面）
２０…ホルダー
２１…押さえプレート
２２…クランプ
２３…グリップ
３０…ツメ
Ｄ…ゴミ箱
Ｐ…害虫
Ｗ…床面または壁面
【図１】
2019142908.tif 000003
【図２】
2019142908.tif 000004
【図３】
2019142908.tif 000005
【図４】
2019142908.tif 000006
【図５】
2019142908.tif 000007
【図６】
2019142908.tif 000008
【図７】
2019142908.tif 000009
【図８】
2019142908.tif 000010
【図９】
2019142908.tif 000011
【図１０】
2019142908.tif 000012
【図１１】
2019142908.tif 000013
【図１２】
2019142908.tif 000014
【図１３】
2019142908.tif 000015
【国際調査報告】
2019142908.tif 000016
2019142908.tif 000017
2019142908.tif 000018